(57)【特許請求の範囲】
【請求項１】
予め設定された各チャンネルに対して順次選局を行って、復調及び前方誤り訂正回路から正常に受信されたことを示す信号が出力されたか否かを判定せずに各チャンネルの受信信号に一定以上の品質があるか否かを調べ、受信信号が一定以上の品質であるチャンネル番号を受信可能候補として記憶装置に仮登録する予備スキャン処理を行う第１ステップ、および
第１ステップにおいて記憶装置に仮登録された各受信可能チャンネル候補に対して順次選局を行って、復調及び前方誤り訂正回路から正常に受信されたことを示す信号が出力されたか否かを判定して、前記信号が出力された場合に必要なチャンネル情報を取得して登録する本スキャン処理を行う第２ステップ、
を備えていることを特徴とするデジタル放送受信機におけるチャンネル情報登録処理方法。
【請求項２】
第１ステップにおいて、予備スキャン処理を複数回行なうことを特徴とする請求項１に記載のデジタル放送受信機におけるチャンネル情報登録処理方法。
【請求項３】
第１ステップにおける予備スキャン処理は、チューナ内のＡＧＣアンプのゲインを固定した状態で行なわれる請求項１および２のいずれかに記載のデジタル放送受信機におけるチャンネル情報登録処理方法。
【請求項４】
第１ステップにおいて、受信信号に一定以上の品質があるか否かは、受信電力が所定値より大きいか否かに基づいて判定される請求項１、２および３のいずれかに記載のデジタル放送受信機におけるチャンネル情報登録処理方法。
【請求項５】
チャンネル情報には、受信可能チャンネル番号、デジタル放送チャンネルの場合にはサービス情報、ならびにデジタル放送チャンネルまたはアナログ放送チャンネルの区別が含まれる請求項１、２、３および４のいずれかに記載のデジタル放送受信機におけるチャンネル情報登録処理方法。
【発明の詳細な説明】
【０００１】
【発明の属する技術分野】
この発明は、デジタルＴＶ放送、デジタル音声放送を受信するデジタル放送受信機に関する。
【０００２】
【従来の技術】
従来のテレビ放送受信機では、受信機への受信可能チャンネル番号、サービス情報等のチャンネル情報の登録は、１つのチャンネル毎にチャンネルスキャン（サーチ）を実行することにより行なわれている。従来においては、チャンネル情報を取得するためのサーチは、チューナの受信可能なチャンネル範囲内で順番に、実際に放送の行なわれていないチャンネルをも含めた全てのチャンネルに対して実行される。
【０００３】
ところで、サービス情報を取得するためには、復調／ＦＥＣ回路がロックするまで待つ必要がある。ところが、実際に放送の行なわれていないチャンネルに対してサーチを行なった場合には、復調／ＦＥＣ回路はロックしない。そこで、従来は、所定時間、復調／ＦＥＣ回路がロックするか否かを判定し、ロックしなければ、次のチャンネルのサーチに移行させている。このように従来においては、実際に放送の行なわれていないチャンネルに対しても復調／ＦＥＣ回路がロックするか否かを判定しているため、チャンネル情報の登録作業に非常に時間がかるという問題がある。
【０００４】
【発明が解決しようとする課題】
この発明は、チャンネル情報の登録作業時間の短縮化が図れるデジタル放送受信機を提供することを目的とする。
【０００５】
【課題を解決するための手段】
この発明のデジタル放送受信機におけるチャンネル情報登録処理方法は、予め設定された各チャンネルに対して順次選局を行って、復調及び前方誤り訂正回路から正常に受信されたことを示す信号が出力されたか否かを判定せずに各チャンネルの受信信号に一定以上の品質があるか否かを調べ、受信信号が一定以上の品質であるチャンネル番号を受信可能候補として記憶装置に仮登録する予備スキャン処理を行う第１ステップ、および第１ステップにおいて記憶装置に仮登録された各受信可能チャンネル候補に対して順次選局を行って、復調及び前方誤り訂正回路から正常に受信されたことを示す信号が出力されたか否かを判定して、前記信号が出力された場合に必要なチャンネル情報を取得して登録する本スキャン処理を行う第２ステップを備えていることを特徴とする。
【０００６】
第１ステップにおいて、予備スキャン処理を複数回行なうようにしてもよい。
【０００７】
第１ステップにおける予備スキャン処理は、チューナ内のＡＧＣアンプのゲインを固定した状態で行なうことが好ましい。
【０００８】
第１ステップにおいて、受信信号に一定以上の品質があるか否かは、たとえば、受信電力が所定値より大きいか否かに基づいて判定される。
【０００９】
チャンネル情報には、たとえば、受信可能チャンネル番号、デジタル放送チャンネルの場合にはサービス情報、ならびにデジタル放送チャンネルまたはアナログ放送チャンネルの区別が含まれる。
【００１０】
【発明の実施の形態】
以下、この発明の実施の形態について説明する。
【００１１】
図１は、デジタル放送受信機の構成を示している。
【００１２】
図１において、１は受信アンテナである。２は、アンテナ１からのＲＦ信号を選局し中間周波信号（ＩＦ信号）に変換するチューナである。
【００１３】
３は、チューナ２の初段増幅器である。４は、外部からの制御電圧でゲイン可変可能なＡＧＣアンプである。５は、電圧制御発振器６で発生するローカル周波数信号と受信ＲＦ信号との差周波数であるＩＦ信号に受信ＲＦ信号を変換するダウンコンバータである。７は、ＣＰＵ２１からの選局データによって電圧制御発振器６の出力信号の周波数を所望の一定周波数に制御するＰＬＬ回路である。８は、ＣＰＵ２１からの制御データによってＡＧＣアンプ４のゲイン制御電圧を生成するＤ／Ａコンバータである。
【００１４】
９、１１および１７は、中間周波増幅器である。１０は、周波数変換後の信号（中間周波増幅器９の出力信号）からＩＦ信号を取り出すバンドパスフィルタである。１２は、中間周波増幅器１１から出力されるＩＦ信号をデジタルデータに変換するＡ／Ｄコンバータである。１３は、Ａ／Ｄコンバータ１２によってデジタルデータに変換された受信信号を復調するとともにエラー訂正を行なう復調／ＦＥＣ回路である。１４は、復調／ＦＥＣ回路１３によって復調されたＭＰＥＧフォーマットのトランスポートストリームをベースバンド信号に変換するＭＰＥＧデコーダである。
【００１５】
復調／ＦＥＣ回路１３は、デジタル放送波を正常に受信している場合には、ロック信号（ｄ）を出力する。また、復調／ＦＥＣ回路１３は、アナログ変調波の水平同期信号を抽出できたか否かに基づいて、受信している放送波がアナログ放送波であるか否かを判定する機能を備えている。復調／ＦＥＣ回路１３は、アナログ放送波を正常に受信している場合には、アナログ放送波フラグ（ｃ）を出力する。
【００１６】
１５は、ベースバンド映像信号出力端子である。１６はベースバンド音声信号出力端子である。１８は、中間周波増幅器１７から出力されるＩＦ信号の検波を行なう検波回路である。１９は、選局されているチャンネルが受信可能か否かを判定するために、検波回路１８によって得られた検波後のＩＦ信号レベルと基準電圧とを比較するコンパレータである。２０は、ＣＰＵ２１からのデータを電圧に変換することによって、コンパレータ１９の基準電圧を生成するＤ／Ａコンバータである。
【００１７】
２１は、ＣＰＵである。２２はメモリである。２３は、視聴者が操作を行なう操作部である。２４は、リモコン（図示略）からの信号を受信し、操作部２３に指令を送るリモコン受信部である。２５は、各物理チャンネルに多重されているサービス情報を復調するためのＳＩデコーダである。
【００１８】
図２は、ＵＨＦ−ＴＶバンドの受信スペクトラムの一例を示している。
【００１９】
図３は、チャンネルスキャンを行なったときの検波後の信号波形（信号（ａ）の電圧波形）を示している。
【００２０】
図４は、選局されているチャンネルが受信可能か否かを示す信号、つまり、コンパレータ１９の出力信号（信号（ｂ））を示している。
【００２１】
図５は、デジタル放送波を正常に受信し復調したことを示す復調ロック信号（信号（ｄ））を示している。
【００２２】
図６は、受信した信号がアナログ放送波であることを示すフラグを示し、復調／ＦＥＣ回路１３から出力される信号（ｃ）の波形である。
【００２３】
ところで、アンテナや受信機を設置したとき、或いは新たに受信可能な放送局が増えたとき等には、視聴する地域での受信可能な放送局を予め調べ、視聴者が受信可能チャンネルの選択を容易に行なうため、受信可能チャンネル、サービス情報等のチャンネル情報を受信機に登録する必要がある。チャンネル情報の登録を行なう際には、視聴者は受信機の電源を投入し、操作部２３で初期メニューによりチャンネルスキャンモードを選択する。
【００２４】
図７は、チャンネルスキャンモードが選択された際にＣＰＵ２１によって実行されるチャンネル情報登録処理手順を示している。
【００２５】
チャンネル情報登録処理は、予備スキャン処理と、本スキャン処理とからなる。まず、予備スキャン処理について説明する。
【００２６】
チャンネルスキャンモードが選択されると、ＣＰＵ２１はＡＧＣアンプ４のゲインが最大となるようにＤ／Ａコンバータ８にデータを送る（ステップ１）。また、ＣＰＵ２１は、受信チャンネルが受信可能か否かを判定するための基準電圧をコンパレータ１９に与えるために、Ｄ／Ａコンバータ２０にデータを送る（ステップ２）。
【００２７】
また、ＣＰＵ２１は、選局チャンネルの初期値を設定する（ステップ３）。この初期値としては、チャンネル範囲の最小値、国内ＵＨＦの場合にはチャンネル１３が初期値として設定される。そして、設定されたチャンネル番号の選局を行なうために、ＰＬＬ７に対して選局データを送る（ステップ４）。
【００２８】
アンテナ１で受けた電波は、チューナ２内の初段増幅器３によって増幅され、さらにＣＰＵ２１の指示によってゲインが最大値に設定されたＡＧＣアンプ４で増幅された後、ダウンコンバータ５に送られる。電圧制御発振器６で発生するローカル信号もダウンコンバータ５に送られる。
【００２９】
ダウンコンバータ５の出力信号は、増幅器９を介してバンドバスフィルタ１０に送られる。バンドパスフィルタ１０からは、所望の受信チャンネルのＩＦ信号が出力される。このＩＦ信号は、増幅器１７で増幅された後、検波回路１８を介してコンパレータ１９に送られる。コンパレータ１９では、選局されているチャンネルが受信可能か否かを判定するために、検波回路１８の出力電圧と、Ｄ／Ａコンバータ２０から出力されている基準電圧とが比較される。
【００３０】
検波回路１８の出力電圧が基準電圧より大きいときには、コンパレータ１９からは選局されているチャンネルが受信可能であることを示すＨレベルの信号が出力され、検波回路１８の出力電圧が基準電圧以下のときには、コンパレータ１９からは選局されているチャンネルが受信不可能であることを示すＬレベルの信号が出力される。ＣＰＵ２１は、コンパレータ１９の出力に基づいて、選局されているチャンネルが受信可能であるか否かを判定する（ステップ５）。
【００３１】
ＣＰＵ２１は、選局されているチャンネルが受信可能であると判定した場合には、当該チャンネル番号を受信可能チャンネル候補としてメモリ２２に書き込んだ後（ステップ６）、選局チャンネル番号を次のチャンネル番号に更新する（ステップ７）。一方、ＣＰＵ２１は、選局されているチャンネルが受信不可能であると判定した場合には、当該チャンネル番号を受信可能チャンネル候補としてメモリ２２に書き込むことなく、選局チャンネル番号を次のチャンネル番号に更新する（ステップ７）。
【００３２】
ＣＰＵ２１は、ステップ７で更新されたチャンネル番号が上限値（この例では６２チャンネル）を越えたか否かを判定し（ステップ８）、上限値を越えていなければステップ４に戻って、同様な処理を行なう。ステップ７で更新されたチャンネル番号が上限値を越えている場合には、予備スキャン処理を終了し、本スキャン処理に移行する。
【００３３】
ところで、一定以上の信号品質でデジタル放送波を受信すると、復調／ＦＥＣ回路１３から、復調可能であることを示すロック信号（図１の信号（ｄ））が出力されるが、予備スキャン処理においては、ロック信号を調べることなく、選局されているチャンネルが受信可能か否かを判定している。予備スキャン処理においては、コンパレータ１９からは、図４に示すような波形が得られる。
【００３４】
次に、本スキャン処理について説明する。
【００３５】
本スキャン処理においては、ＣＰＵ２１は、ＡＧＣアンプ４のゲインの固定を解除する（ステップ９）。これにより、ＡＧＣアンプ４のゲインは、通常受信時と同様に、受信信号レベルに合わせて最適ゲインに制御される。
【００３６】
ＣＰＵ２１は、予備スキャン処理によってメモリ２２に格納された受信可能チャンネル候補のチャンネル番号のうちから、１つのチャンネル番号を読み出す（ステップ１０）。図３及び図４の例では、チャンネル１３、１５、１７、１８、…、５７、５９、６０、６２が受信可能チャンネル候補としてメモリ２２に格納されているので、まず、チャンネル１３が読み出される。
【００３７】
そして、ＣＰＵ２１は、メモリ２２から読み出されたチャンネル番号を選局するために、ＰＬＬ７にデータを送る（ステップ１１）。選局が行なわれると、チューナ２からは選局されたチャンネルに対応するＩＦ信号が出力され、Ａ／Ｄ変換器１２によってデジタルデータに変換された後、復調／ＦＥＣ回路１３に送られて、復調及びエラー訂正が行なわれる。
【００３８】
上述したように、デジタル放送波の受信が正常に行なわれると、復調／ＦＥＣ回路１３からはロック信号（ｄ）が出力される。また、アナログ放送波の受信が正常に行なわれると、復調／ＦＥＣ回路１３からはアナログ放送波フラグ（ｃ）が出力される。
【００３９】
ＣＰＵ２１は、復調／ＦＥＣ回路１３からロック信号（ｄ）が出力されたか否か（ステップ１２）、復調／ＦＥＣ回路１３からアナログ放送波フラグ（ｃ）が出力されたか否か（ステップ１３）、ステップ１１による選局が行なわれてから所定時間が経過したか否か（ステップ１４）を判定する。
【００４０】
ＣＰＵ２１は、復調／ＦＥＣ回路１３からのロック信号（ｄ）を受信した場合には（ステップ１２でＹＥＳ）、ＳＩデコーダ２５によって復調データからサービス情報をデコードさせ（ステップ１５）、デコードされたサービス情報を選局されているチャンネルに対するサービス情報としてメモリ２２に登録する（ステップ１６）。そして、ステップ１８に移行する。
【００４１】
ＣＰＵ２１は、復調／ＦＥＣ回路１３からのアナログ放送波フラグ（ｃ）を受信した場合には（ステップ１３でＹＥＳ）、選局されているチャンネルがアナログ放送のチャンネルであることをメモリ２２に登録する（ステップ１７）。そして、ステップ１８に移行する。
【００４２】
また、ＣＰＵ２１は、復調／ＦＥＣ回路１３からロック信号（ｄ）およびアナログ放送波フラグ（ｃ）のいずれも受信することなく、ステップ１１による選局が行なわれてから所定時間が経過した場合には、ステップ１８に移行する。
【００４３】
ステップ１８では、メモリ２２内の受信可能チャンネル候補の全てに対してステップ１０以降の処理を行なったか否かを判定する。メモリ２２内の受信可能チャンネル候補の全てに対してステップ１０以降の処理を行なっていない場合には、チャンネル番号を次の受信可能チャンネル候補のチャンネル番号に更新した後（ステップ１９）、ステップ１０に戻る。
【００４４】
メモリ２２内の受信可能チャンネル候補の全てに対してステップ１０以降の処理を行なっている場合には、予備スキャン処理においてメモリ２２に格納された受信可能チャンネル候補のチャンネル番号を消去した後（ステップ２０）、本スキャン処理を終了する。
【００４５】
上記実施の形態では、予備スキャン処理は、１回しか行なわれていないが、予備スキャンを複数回行なうようにしてもよい。予備スキャンを複数回行なうようにすると、受信可能チャンネル候補と判定されるチャンネルであっても、安定して受信可能と判定されたチャンネルであるか、フェージング等により受信レベルが時間とともに変化する受信信号品質が良くないチャンネルであるかを判別できるようになる。そこで、受信信号品質が良くないチャンネルに対しては、本スキャン処理時において、ステップ１４の所定時間を短くすることが可能となる。
【００４６】
【発明の効果】
この発明によれば、チャンネル情報の登録作業時間の短縮化が図れるようになる。
【図面の簡単な説明】
【図１】デジタル放送受信機の構成を示すブロック図である。
【図２】ＵＨＦ−ＴＶバンドの受信スペクトラムの一例を示すタイムチャートである。
【図３】チャンネルスキャンを行なったときの検波後の信号波形を示すタイムチャートである。
【図４】選局されているチャンネルが受信可能か否かを示す信号を示すタイムチャートである。
【図５】デジタル放送波を正常に受信し復調したことを示す復調ロック信号を示すタイムチャートである。
【図６】受信した信号がアナログ放送波であることを示すフラグを示を示すタイムチャートである。
【図７】チャンネル情報登録処理手順を示すフローチャートである。
【符号の説明】
２  チューナ
１３  復調／ＦＥＣ回路
１８  検波回路
１９  コンパレータ
２１  ＣＰＵ
２２  メモリ
２５  ＳＩデコーダ
【図１】
0003920575.tif 000002
【図２】
0003920575.tif 000003
【図３】
0003920575.tif 000004
【図４】
0003920575.tif 000005
【図５】
0003920575.tif 000006
【図６】
0003920575.tif 000007
【図７】
0003920575.tif 000008